(57)【要約】【課題】  ステレオ収録されるサンプリング音に音響処理を施して大きなゆらぎの創出と、且そのメロディー基音やベーシック基音の楽音編成に条件付重み付けを付加して、多様な利用者にも高い癒し効果が感得できる癒し音発生方法及び発生装置の提供。【解決手段】  収録編集工程でステレオ収録される自然音や発音具音若しくは楽器音からなるサンプリング音に音響処理を施したうえ、メロディー基音とベーシック基音及び音色別に区分し記憶部内のエイリアス部に記憶させ、且このメロディー基音及びベーシック基音を条件設定部の条件指示プログラムによる条件付重み付け楽音編成によりメロディー楽音及びベーシック楽音となし、且気圧変化による調性や発音頻度の補正をなし補正メロディー楽音及び補正ベーシック楽音となしたるうえミキシングし、増幅のうえ発音させる。【選択図】図２
2008116883.tif 000002
【特許請求の範囲】
【請求項１】
ステレオ収録された自然音、発音具音若しくは楽器音からなるサンプリング音に、フェードインフェードアウト処理、ループ演奏処理、イコライジング処理、残響付加処理、モノラル化処理等の音響処理を施したうえ、特徴的音をメロディー基音、景観背景を想起させる音をベーシック基音とし且音色別に区分のうえ記憶部内のエイリアス部に記憶させ、この記憶されたメロディー基音及びベーシック基音を、生体リズムに適合するよう５８秒／分のテンポで１サイクルが４分の４拍子１６小節を基準とし且この小節を適宜に増減させ、而もメロディー基音は全音符乃至１６分音符をランダムに使用し、且ベーシック基音は全音符乃至８分音符をランダムに使用し、更には１サイクル内にエイリアス部内のメロディー基音及びベーシック基音が全て発音されるよう、且４秒間以上の空白時間がなく而も同一音符が連続して使用されぬよう条件付ランダムで重み付けをなしたうえメロディー楽音及びベーシック楽音に楽音編成し、更に気圧変化に基づきメロディー楽音及びベーシック楽音の調性と発音頻度を変化させた補正メロディー楽音及び補正ベーシック楽音となしたうえ、相互を適宜にミキシングさせることを特徴とする癒し音発生方法。
【請求項２】
条件付ランダムの重み付けにおいて、３２分音符若しくは三連符或いは付点音符も使用される、請求項１記載の癒し音発生方法。
【請求項３】
ステレオ収録された自然音、発音具音若しくは楽器音からなるサンプリング音に音響処理をなす収録編集工程と、該収録編集工程によるメロディー基音とベーシック基音及び音色別を区分して入力記憶させる記憶部及びエイリアス部と、このエイリアス部内のメロディー基音及びベーシック基音に条件付ランダムで重み付けをなしメロディー楽音及びベーシック楽音に編成させる条件指示プログラムを内蔵する条件設定部及び楽音編成制御部と、気圧センサーにより気圧検知のうえメロディー楽音及びベーシック楽音の調性や発音頻度の補正をなし補正メロディー楽音及び補正ベーシック楽音となす補正制御部と、この補正メロディー楽音及び補正ベーシック楽音を適宜にミキシングさせて癒し音となすミキシング部と、このミキシングされた補正メロディー楽音及び補正ベーシック楽音を３ステレオ音以上に増幅させる増幅部、及び増幅された補正メロディー基音と補正ベーシック基音を、適宜形状のケーシングの下面に設けられた一対組以上のスピーカーからなる発音部、及びケーシング背面に多数の孔隙で形成された間接発音部とにより発音させ、若しくはミキシング部より録音機構に入力させる構成からなる癒し音発生装置。
【請求項４】
請求項３の癒し音発生装置におけるミキシング部でミキシングされた補正メロディー楽音及び補正ベーシック楽音を録音機構に入力させたうえ、該録音機構でＣＤ、ＤＶＤ、ハードディスク若しくはメモリースティックからなる記憶媒体に記憶させてなる、癒し音発生媒体。
【発明の詳細な説明】
【技術分野】
【０００１】  本発明は多様な聴覚の人々にも高い癒し効果の発揮できる癒し音の発生方法及び発生装置、並びに適宜の再生手段でも簡便に癒し音を再生出力できる癒し音発生媒体に関するものである。
【背景技術】
【０００２】  今日の如く産業の都市部への極度の集中化に伴い、居住生活も狭少な高層集合住宅や郊外の密集化した戸建住宅での生活を余儀なくされ、且居住生活においても近隣からの生活騒音や生活振動に晒され、加えて自動車社会化に伴い終日を通して車輌騒音も加重されている。
更に就労環境も急速なＩＴ化の伸展により、高速且多量の業務処理の遂行が強いられ、且就労環境も能力主義や成果主義或いは派遣社員の多量の採用等による企業内の複雑な人間関係とも相俟って、就労者には多大且多様なストレッサ−が付加蓄積され眼性疲労や頭脳疲労に加えて手、指、腕、肩等の筋肉痛や麻痺等身体的疲労とストレスの加重及び蓄積とにより罹病誘発はもとより、特にストレスの加重と蓄積は自覚症状が知覚されぬまま躁鬱や精神異常が惹起され、これによる自殺行為や犯罪行為も多発するに至っている。【０００３】  而して身体的疲労は容易に知覚されることから、医療機関による治療や鍼、灸、マッサージ等による対症療法、或いは低周波治療器等による疲労や痛みの消去が実施されている。
反面ストレスは間脳から脳下垂体並びに副腎に亘るシステムがストレッサ−により影響を受けている状態にあるため、このストレッサ−の除去即ちカタルシスが不可欠となる。
このカタルシスの具体的手段として、磁気エネルギーや超音波エネルギーを利用して生体部位の生体リズムの補正を図る、所謂エネルギー医学なる研究が欧米においてなされているものの、医療行為としてのものであるから結局は長時に亘る治療期間と且多大な治療費も強いられることとなる。【０００４】  他方特定の花卉や農作物を特定の音楽環境下で育成栽培することにより大きな有意差が認められ、更には疾病や障害を持つ患者に楽器類を試奏させ、或いは特定音楽を聴取させて変化する感情の機微を捉えて疾病の治療や障害の改善に役立てる音楽療法も確立されつつある。
かかる背景には、植物や動物等の生体リズムには本来ゆらぎが存在するもので且生体のリズムは人工時計のリズムに対し５８秒／分とされている。
従って音楽にはゆらぎが有り且特定の音楽には生体リズムに合致し同調や共鳴を励起せしめるために、この同調や共鳴により活性エネルギーが創出されるものと考えられており、更にストレスの加重や蓄積の影響を受ける間脳や脳下垂体は高周波特には３，５００Ｈｚ以上の周波数によりこれらの神経系が有効に刺激されカタルシスがなされ、癒しや健康保持にも大きく作用することも解明されている。【０００５】  そこで発明者は、ゆらぎを保持し且広い景観背景を想起しえるように、適宜の自然音や発音具音或いは楽器音等をステレオ収録のうえ、メロディー基音とベーシック基音とに区分し、且生体リズムのテンポに合せてメロディー基音やベーシック基音を条件付けランダムに且重み付けをして楽音編成し、而も気圧の変化により調性や発音頻度を補正させたうえ、３ステレオ音以上で発音させることにより、癒し効果の高い癒し空間を創出しえる癒し音発生装置を開発し、既にその内容を特願２００６−１４２０５７号で先願している。【０００６】  然るに癒し効果を創出せしむる空間は、事務所や店舗等多人数で且広大な空間から、ホテルの客室や住居空間のごとく特定人数で且狭少な空間での使用や、或いは特定個人のみの使用等多岐に亘るものであるから設置使用ばかりか携行自在なものの要請も多く、更には楽音によるものであるため、利用者の聴覚の差異により癒し効果にも評価の分かれる問題が把握された。【０００７】  そこで発明者は更なる研究を重ねた結果、ステレオ収録される自然音や発音具音或いは楽器音に大きなゆらぎと楽音編成に際しての大きな条件付きランダムの重み付けをすることにより、聴覚に差異のある広範囲の利用者にも高い癒し効果が感得されること、及び大きなゆらぎと条件付きランダムの重み付けのされた楽音を記憶媒体に記憶させて独立させることにより、適宜の再生手段で簡便に癒し音を聴取しえることを想到し本発明に至った。
【発明の開示】
【発明が解決しようとする課題】
【０００８】  本発明はステレオ収録される自然音や発音具音若しくは楽器音からなるサンプリング音に音響処理を施し大きなゆらぎを創出させ、且そのメロディー基音及びベーシック基音の楽音編成に際して条件付重み付けを付加して、多様な利用者にも高い癒し効果が感得できる癒し音発生方法及び発生装置、並びに簡便に癒し効果を感得できる癒し音発生媒体を提供することにある。
【課題を解決するための手段】
【０００９】  上述の課題を解決するために本発明が用いた技術的手段は、ステレオ収録されるサンプリング音として小鳥の声や波の音或いは川のせせらぎ音からなる自然音、水琴窟や風鈴からなる発音具音、或いはオルゴール、ハープ、シンセサイザー、チャイム若しくは琴からなる楽器音を用いるとともに、これら自然音、発音具音、或いは楽器音にフェードインフェードアウト処理、ループ演奏処理、イコライジング処理、残響付加処理若しくはモノラル化処理を施し、及び自然音や発音具音には１サンプリング内に複数音と且任意の長さの収録処理をなし、更には楽器音については１フレーズ若しくは１和音或いはこれらを集合収録し且そのメロディー基音若しくはベーシック基音の一方の選択使用処理等の音響処理を収録編集工程で施すことにより大きなゆらぎを創出させたうえ、特徴的な音をメロディー基音及び景観背景を想起させる音をベーシック基音として、且音色別に記憶部内のそれぞれのエイリアス部に記憶させる。【００１０】  そしてこの記憶されたエイリアス部のメロディー基音及びベーシック基音を生体リズムに適合させるよう、５８秒／分のテンポで１サイクルが４分の４拍子１６小節の長さを基準とし且小節数を適宜に増減させ、更にメロディー基音を全音符乃至１６分音符で条件付ランダムに、且ベーシック基音を全音符乃至８分音符で条件付きでランダムに使用し、而も発音具音若しくは楽器音においては任意音符を適宜に追加させて、それぞれメロディー楽音及びベーシック楽音となす楽音編成制御が条件設定部からの条件指示プログラムによりなされ、更には気圧変化を検知のうえ調性や発音頻度を変化させて補正メロディー楽音及び補正ベーシック楽音となすための補正制御がなされたうえミキシングさせる癒し音発生方法に存する。【００１１】  加えて収録編集工程で音響処理されたサンプリング音を、メロディー基音とベーシック基音及び音色別に区分してエイリアス部内に記憶させる記憶部と、この記憶されたメロディー基音やベーシック基音を、大きな条件付ランダムの重み付けをしてメロディー基音及びベーシック基音に楽音編成させるために、条件設定部からの条件指示プログラムによる楽音編成制御部と、この楽音編成されたメロディー楽音及びベーシック楽音を、気圧センサーによる気圧変化に合わせて調性及び発音頻度を変化させ補正メロデイー楽音及び補正ベーシック楽音となす補正制御部と、この補正メロディー楽音及び補正ベーシック楽音をミキシングさせるミキシング部と、このミキシングされた補正メロディー楽音及び補正ベーシック楽音をそれぞれ３ステレオ以上で増幅させる増幅部と、この増幅された補正メロディー楽音及び補正ベーシック楽音を、適宜形状のケーシングの下面に設けられた一対組以上のスピーカーからなる発音部及び背面に多数の孔隙で形成された間接発音部とにより、発音させる癒し音発生装置に存する。【００１２】  加えて収録編集工程で音響処理の施されたサンプリング音をメロディー基音とベーシック基音及び音色別に区分し記憶部のエイリアス部内に記憶させたうえ、このメロディー基音及びベーシック基音を大きな条件付ランダムの重み付けしてメロディー楽音及びベーシック楽音に楽音編成制御部で楽音編成させ、���に気圧変化で調性及び発音頻度の変化を補正制御部で補正して補正メロディー楽音及び補正ベーシック楽音となしたるうえ相互をミキシング部でミキシングし、而して録音機構においてＣＤ、ＤＶＤ、ハードディスク若しくはメモリースティック等の記憶媒体に記憶させ、適宜の再生手段で再生させて簡便に癒し効果を感得できる癒し音発生媒体に存する。
【発明の効果】
【００１３】  本発明はかかる構成からなるもので、ステレオ収録されるサンプリング音として本来的に癒し作用を有するとされる、小鳥の声や波の音或いは川のせせらぎ音からなる自然音や、水琴窟や風鈴からなる発音具音、或いはオルゴール、ハープ、シンセサイザー、チャイム若しくは琴からなる楽器音を用いるとともに、この収録されたサンプリング音にフェードインフェードアウト処理、ループ演奏処理、イコライジング処理、残響付加処理若しくはモノラル化処理を施し、更には自然音や発音具音には１サンプリング内に複数音と且任意の長さの収録処理や、楽器音においては１フレーズ処理即ち２音程以上が任意の時間的ズレを以って発音されるような処理、若しくは１フレーズ及び１和音の集合処理等の音響処理が施されたうえ、特徴的な音をメロディー基音とし且景観背景を想起させる音をベーシック基音とし、而も音色別に区分のうえ記憶部のエイリアス部内に記憶されるため、このメロディー基音とベーシック基音には極めて大きなゆらぎが内在することとなる。【００１４】  そしてこのエイリアス部内のメロディー基音及びベーシック基音には、人間の本来的に保持する５８秒／分に合せて１サイクルが４分の４拍子１６小節の長さを基準として楽音編成がなされるばかりか該小節も適宜に増減され、且メロディー基音については全音符から１６分音符で、更にベーシック基音については全音符から８分音符でランダムに而もメロディー基音は１サイクル内にエイリアス内のすべてが発音されるよう、且４秒以上の空発を置かずに而も同じ音符を任意回数以上連続させない条件付で、更にベーシック基音も１サイクル内にエイリアス部内のすべてが発音されるよう且４秒以上の空白を置かずに、而も同じ音符が任意回数以上連続しないようメロディ楽音及びベーシック楽音に楽音編成がなされるため、基本的生体リズムを保持させながら多彩な音感を以っての発音が可能となるため、多様な聴覚を有する利用者にも同調と共鳴が励起せしめられて、高い癒し効果が感得されることとなる。【００１５】  更に多様な聴覚を持つ利用者は、それぞれ多様な情緒をも保持し且その情緒も気圧変動により微妙に変化して音感に対しての好き嫌いが生ずるものであるから、気圧変化により更にメロディー楽音及びベーシック楽音の調性や発音頻度を補正させ補正メロディー楽音及び補正ベーシック楽音としたうえミキシングされるため、極めて大きなゆらぎと且多彩な音感と同調及び共鳴作用とも相俟って、多様な聴覚の利用者にも極めて高い癒し効果が感得される。
加えてミキシングされた補正メロディー楽音及び補正ベーシック楽音を、ＣＤを初めＤＶＤ、ハードディスク若しくはメモリースティック等の記憶媒体に一旦記憶させることにより、該記憶媒体で適宜の再生手段により何時何所においても簡便に再生発音させて癒し効果が感得できる。
【発明を実施するための最良の形態】
【００１６】  癒し作用を持つ自然音や発音具音若しくは楽器音をステレオ収録のうえ、フェードインフェードアウト処理、ループ演奏処理、イコライジング処理、残響付加処理、或いはモノラル化処理を施し、若しくは自然音や発音具音では１サンプリング内に複数音と且任意の長さの収録処理や楽器音では１フレーズ若しくは１和音或いはこれらを集合処理及びそのメロディー基音若しくはベーシック基音の一方の選択使用処理等により、大きなゆらぎが創出されるよう収録編集工程で音響処理を施し、特徴的な音をメロディー基音及び景観背景を想起させる音をベーシック基音として、且音色別に記憶部内にエイリアス部に記憶させる。そしてエイリアス部内のメロディー基音及びベーシック基音を生体リズムに適合するよう、５８秒／分のテンポで１サイクルが４分の４拍子１６小節の長さを基準とし、且小節数を適宜に増減させ更にメロディー基音を全音符乃至１６分音符で且ベーシック基音を全音符乃至８分音符を用い条件付ランダムに使用して楽音編成させ、而も発音具音若しくは楽器音では更に任意音符を追加させてそれぞれメロディー楽音及びベーシック楽音に楽音編成させ、及び気圧変化に対応して該メロディー楽音やベーシック楽音の調性や発音頻度を変化させて補正メロディー楽音及び補正ベーシック楽音となしたうえ、相互をミキシングさせる癒し音発生方法に存する。【００１７】  加えて自然音や発音具音若しくは楽器音をステレオ収録するサンプリング音の収録編集工程において、フェードインフェードアウト処理、ループ演奏処理、イコライジング処理、残響付加処理、若しくはモノラル化処理或いは発音具音の１サンプル内に複数音と、且任意の長さの収録処理若しくは楽器音においては１フレーズ若しくは１和音或いはこれらの集合処理、及びこのメロディー基音若しくはベーシック基音の一方の選択処理等の音響処理を施し、大きなゆらぎを創出させ特徴的な音をメロディー基音、景観背景を想起させる音をベーシック基音となし、且音色別に区分のうえ記憶部内のそれぞれのエイリアス部に記憶させる。【００１８】  そしてこの記憶部内のエイリアス部に記憶されたメロディー基音及びベーシック基音を生体リズム５８／秒に適合させるよう１サイクルが４分の４拍子１６小節の長さを基準として且、該小節数を適宜に増減させ更にはメロディー基音を全音符乃至１６分音符で条件付ランダムに、且ベーシック基音を全音符乃至８分音符で条件付きランダムに使用してメロディー楽音並びにベーシック楽音に楽音編成し、或いは発音具音若しくは楽器音では任意音符も適宜に追加されるよう条件設定部からの条件指示プログラムで楽音編成させる楽音編成制御部が設けられ、而も気圧変化も検知する気圧センサーと該気圧センサーの気圧変化によりメロディー楽音やベーシック楽音の調性や発音頻度を変化させて補正メロディー楽音並びに補正ベーシック楽音となす補正制御部が設けられている。【００１９】  而して補正された補正メロディー楽音及び補正ベーシック楽音相互をミキシングさせるためのミキシング部が設けられ、且ミキシングされた補正メロディー楽音及び補正ベーシック楽音は、所要の出力となすために増幅部で増幅のうえ望ましい癒し音の発音のために、ケーシン���の下面にスピーカーからなる発音部及び該ケーシング背面に設けた多数の孔隙からなる間接発音部とから発音させる癒し音発生装置に存し、更にはミキシング部より録音機構に入力のうえ記憶媒体に記憶させてこの記憶媒体で適宜の再生装置により簡便に癒し効果を感得できるようにした癒し音発生媒体に存する。
【実施例１】
【００２０】  以下に本発明実施例を癒し音発生装置の図とともに詳細に説明すれば、図１はサンプリング音の収録編集工程の説明図であって、収録編集工程１は癒し作用を保持するとされるサンプリング音２として小鳥の声や波の音若しくは川のせせらぎ音からなる自然音や、水琴窟及び風鈴からなる発音具音、或いはオルゴール、ハープ、シンセサイザー、チャイム若しくは琴からなる楽器音を集音マイク１Ａを用いてデジタル録音機１Ｂによりステレオ収録のうえ、このサンプリング音２に大きなゆらぎを付加させるためにフェードインフェードアウト処理を初め、ループ演奏処理、イコライジング処理、残響付加処理若しくはモノラル化処理や、自然音においては１サンプリング音２内に複数音と任意長さの収録処理、及び楽器音においては１フレーズ処理若しくは１和音処理或いはこれらの集合処理、並びにこのメロディー基音若しくはベーシック基音の一方の選択処理等の音響処理を施したうえ、特徴的な音をメロディー基音２Ａとし景観背景を想起させる音をベーシック基音２Ｂとし、且音色別に区分して入力部３Ａより記憶部３に入力させそれぞれのエイリアス部３Ｃ内に記憶させるもので、かかる場合の音響処理機１Ｃの具体的なものとしてはプロツールズ等が挙げられる。【００２１】  ここで音響処理におけるフェードインフェードアウト処理とは、自然音のサンプリング音２として小鳥の声の場合には夜明時や森の中等において、近くで啼く小鳥の声を収録し１乃至１０秒間程度でフェードインフェードアウト処理した１５個以上の小鳥の声をメロディー基音２Ａとして、更に遠くで啼く小鳥の声を含む音を収録し１乃至１０秒間程度でフェードインフェードアウト処理した１５個以上の小鳥の声を含む音をベーシック基音２Ｂとして使用する。
更に波の音の場合には、夜明けの浜辺で近距離で緩やかな波の音を収録のうえ１乃至１０秒間程度のフェードインフェードアウト処理した１０個以上の波の音をメロディー基音２Ａとし、遠くの波の音を収録のうえ１乃至１０秒間程度のフェードインフェードアウト処理した１０個以上の波の音をベーシック基音２Ｂとし、川のせせらぎ音も同様にフェードインフェードアウト処理したうえ、それぞれメロディー基音２Ａ及びベーシック基音２Ｂとして用いる。【００２２】  そして水琴窟や風鈴ではレコーディングスタジオで収録した単独の水滴音を１秒間程度でフェードインフェードアウト処理し、且その２０個以上の水滴音をメロディー基音２Ａとし、更に複数の水滴音を１秒間程度でフェードインフェードアウト処理のうえ、その２０個以上の複数の水滴音をベーシック基音２Ｂとして使用する。
加えて風鈴においてはレコーディングスタジオで単独の打鐘音を１乃至６秒間程度でフェードインフェードアウト処理し、且その１０個以上の打鐘音をメロディー基音２Ａとし、複数の打鐘音を１乃至６秒間程度でフェードインフェードアウト処理した１０個以上の複数打鐘音をベーシック基音２Ｂとして使用する。【００２３】  反面楽器音についてはそれぞれに特有の音色を保持し、且低音から高音に亘って整然と発音がなされるため大きなゆらぎと調性感や安定感によるやすらぎ感を発揮させる楽音編成が必要なことから、特段の工夫が要請される。
即ちオルゴール音では音程が４Ｃ、４Ｄ、４Ｅ、４Ｇ、４Ａ、４Ｂ、５Ｃ、５Ｄ、５Ｅの９音をｐ（ピアノ）、ｍｆ（メゾフォルテ）及びｆ（フォルテ）に相当する音量の３段階で、それぞれ１．５秒間程度のフェードインフェードアウト処理した音をメロディー基音２Ａとして用い、更に該メロディー基音２Ａに対して低音階の２Ｅ、２Ｇ、２Ａ、３Ｃ、３Ｄ、３Ｇの６音を、ｍｆ（メゾフォルテ）に相当する音量で１．５秒間程度のフェードインフェードアウト処理した音をベーシック基音２Ｂとして用いる。【００２４】  次にハープ音においては３Ｃ、３Ｄ、３Ｅ、３Ｇ、３Ａ、３Ｂ、４Ｃ、４Ｄ、４Ｅの９音を同様に、ｐ（ピアノ）、ｍｆ（メゾフォルテ）及びｆ（フォルテ）に相当する音量の３段階でフェードインフェードアウト処理した音をメロディー基音２Ａとし、且１Ｅ、１Ｇ、１Ａ、２Ｃ、２Ｄ、２Ｇの６音をｍｆ（メゾフォルテ）に相当する音量で３秒間程度でフェードインフェードアウト処理した音をベーシック基音２Ｂとして用いる。【００２５】  加えてチャイム音においては４Ｃ、４Ｄ、４Ｅ、４Ｇ、４Ａ、４Ｂ、５Ｃ、５Ｄ、５Ｅの９音をｐ（ピアノ）、ｍｆ（メゾフォルテ）及びｆ（フォルテ）に相当する音量の３段階で、且３秒間程度のフェードインフェードアウト処理させた音をメロディー基音２Ａとし２Ｅ、２Ｇ、２Ａ、３Ｃ、３Ｄ、３Ｇの６音をｍｆ（メゾフォルテ）に相当する音量で３秒間程度のフェードインフェードアウト処理を施した音をベーシック基音２Ｂとして用いる。
そして琴の音においては３Ｅ、３Ｆ、３Ａ、３Ｂ、４Ｃ、４Ｅ、４Ｆ、４Ａ、４Ｂの９音をｐ（ピアノ）、ｍｆ（メゾフォルテ）及びｆ（フォルテ）に相当する音量の３段階で、且２．５秒間程度にフェードインフェードアウト処理いた音、及びグリッサンド音或いは３Ａのベント音をメロディー基音２Ａとし、且２Ｅ、２Ａ、３Ｃ、４Ｅの４音をｐ（ピアノ）、ｍｆ（メゾフォルテ）及びｆ（フォルテ）に相当する３段階の音量で２．５秒間程度にフェードインフェードアウト処理してなる音、並びに弦擦音をベーシック基音２Ｂとして用いる。【００２６】  本発明においては多様な聴覚を保持する利用者にも高い癒し効果が感得できる癒し音を発生させるものであるから、より大きなゆらぎとともに生体リズムと適合させ且多様な音感も創出させることが要請される。
この大きなゆらぎの付加手段の一つとしてループ演奏処理があるもので、該ループ演奏処理としては自然音や発音具音若しくは楽器音等によるメロディー基音２Ａ若しくはベーシック基音２Ｂとなしたうえ、それぞれの任意数のメロディー基音２Ａの最先のメロディー基音２Ａに、その最後のメロディー基音２Ａが連続して発音されるよう、更にベーシック基音２Ｂの最先のベーシック基音２Ｂに、その最後のベーシック基音２Ｂが連続して発音されるような処理であって、かかるループ演奏処理により発音される癒し音には複雑微妙な変化が感得される。【００２７】  更にイコライジング処理は、収録されたサンプリング音２にフェードインフェードアウト処理が施されたメロディー基音２Ａ並びにベーシック基音２Ｂには広範囲に亘る周波数の音が混在しているものであるが、癒し作用が発揮される音階周波数としてはベーシック基音２Ｂとしての低音域でも１Ｅ即ち８２Ｈｚ以上からメロディー基音２Ａとしての高音域でも５Ｅ即ち１，３１８Ｈｚ程度である。従って高音域のメロディー基音２Ａの内１，３１８Ｈｚ以上の高周波数及びベーシック基音２Ｂの内、８２Ｈｚ以下の低周波数を削減させることにより、安定感と奥行感のある発音がなされることとなる。【００２８】  加えてメロディー基音２Ａ及びベーシック基音２Ｂへの残響処理は当然に発音に広がりが付加されることから、小型の水力装置による場合にも癒し効果が有効に発揮されることとなり、更にモノラル化処理においてはメロディー基音２Ａやベーシック基音２Ｂに広がり感と狭まり感や、深み感や浅み感が混在発音されて癒し音が複雑微妙に感得される。
更に自然音や発音具音には１フレーズ処理即ち２音程以上を任意の時間的ズレをもって発音させ若しくは１和音処理即ち２音程以上を同時に発音させる処理、或いは１フレーズ及び１和音集合処理を施すことにより、メロディー基音２Ａ及びベーシック基音２Ｂには重奏感と且景観背景の強い想起感が付加され発音されることとなる。当然のことながら、これら音響処理は音響処理機１Ｃによりなされる。【００２９】  かかる如く音響処理が施されたメロディー基音２Ａ及びベーシック基音２Ｂは図２に示す如き本発明癒し音発生装置３の入力部３Ａより記憶部３Ｂに付帯するエイリアス部３Ｃ内にメロディー基音２Ａ並びにベーシック基音２Ｂ及び音色別に区分されて記憶される。
そしてかかるエイリアス部３Ｃ内のメロディー基音２Ａ及びベーシック基音２Ｂは、大きなゆらぎ感と条件付ランダムで大きな重み付けを付加して多様な聴覚の使用者にも高い癒し効果で感得される癒し音２３を発音させるもので、これがためにはメロディー基音２Ａ及びベーシック基音２Ｂに、生体に対して同調や共鳴作用を付与せしめ、更には景観背景の想起と且安らぎ感を以って発音させるため、５８秒／分のテンポで１サイクルが４分の４拍子１６小節の長さを基準とし、且該小節数も適宜に増減させ而も所要の条件付でメロディー基音２Ａ及びベーシック基音２Ｂをランダムに抽出し楽音編成させる楽音編成制御部３Ｄが設けられている。【００３０】  即ち楽音編成における条件としては、メロディー基音２Ａは全音符乃至１６音符の中からランダムに抽出させ且記憶部３Ｂのエイリアス部３Ｃに記憶されたメロディー基音２Ａを１サイクル内に全て発音させ、更には４秒以上の空白時間がなく、且同一音符を連続多用しないことであり、而もベーシック基音２Ｂは全音符乃至８分音符のなかからランダムに抽出させて、メロディー基音１２Ａと同様に１サイクル内に全て発音させ、且４秒以上の空白時間がなく而も同一音符を連続多用しないことにある。加えて音色特には発音具音若しくは楽器音においては３２分音符や三連符、付点音符も適宜に付加させてそれぞれメロディー楽音２１Ａ及びベーシック楽音２１Ｂとなされる。
かかる条件付の理由は本発明が各種の施設や店舗事務所或いは住居等に亘る広範囲の使用状況下で、且多様な聴覚の使用者に聴取されるものであるから、大きなゆらぎと多彩な音感を以って発音させる必要による。そしてこれら条件の設定は条件設定部３Ｅからの条件支持プログラムにより楽音編成制御部３Ｄでなされるよう配慮されている。【００３１】  加えて重要なことは楽音編成され発音される癒し音２３は、気圧変化により聴取する利用者の情緒が変化し、これによる癒し音２３の感得や癒し効果も大きく変動することから、気圧センサー３Ｆにより気圧変動を高い気圧、中程度の気圧及び低い気圧の３段階程度に検知し補正制御部３Ｇに入力のうえ、楽音編成されたメロディー楽音２１Ａ及びベーシック楽音に対して高い気圧の場合は、自然音及び発音具音からなるメロディー基音２Ａ及びベーシック基音２Ｂの発音頻度を増加させ、且気圧の低い場合はメロディー基音２Ａ及びベーシック基音２Ｂの発音頻度を減少させる補正がなされ、それぞれ補正メロディー楽音２２Ａ及び補正ベーシック楽音２２Ｂとなされる。【００３２】  更に楽器音からなるメロディー基音２Ａやベーシック基音２Ｂでは、高い気圧の場合はメロディー基音２Ａの発音頻度を増加させ且ベーシック基音２ＢのＥ音とＡ音の発音頻度及びメロディー基音２ＡのＡ音とＢ音の発本頻度を減少させて長調となるよう補正制御をなして補正メロディー楽音２２Ａとなし、且気圧の低い場合にはメロディー基音２Ａとベーシック基音２Ｂの発音頻度を減少させ、而もベーシック基音２ＢのＥ音とＡ音の発音頻度、及びメロディー基音２ＡのＡ音及びＢ音の発音頻度を増加させ、短調となるよう補正制御されて補正ベーシック楽音２２Ｂに補正がなされる。【００３３】  補正制御により編成されたメロディー楽音２２Ａ及び補正ベーシック楽音２２Ｂは、ミキシング部３Ｈにより適宜にミキシングがなされるもので、該ミキシングに際してはサンプリング音２の特徴を初め補正メロディー楽音２２Ａ及び補正ベーシック楽音２２Ｂの特質等を考慮のうえ、十分に大きなゆらぎと且景観背景の想起度合や、調性及び安定性によるやすらぎ感が聴取感得できるようミキシングしたうえ、少なくとも補正メロディー楽音２２Ａ及び補正ベーシック楽音２２Ｂを、それぞれ３ステレオ音以上によって増幅部３Ｉに入力させる。【００３４】  而して本発明においては癒し音２３を一旦記憶媒体に記憶させたうえ、該記憶媒体を用いて適宜の再生装置により再生し簡便に癒し音２３を発音させ癒し効果が感得できる癒し音発生媒体４Ａを提供することをも目的とすることから、ミキシング部３Ｈによりミキシングされた補正メロディー楽音２２Ａ及び補正ベーシック楽音２２Ｂを録音機構４に入力させるとともに、該録音機構４においてＣＤ、ＤＶＤ、ハードディスク若しくはメモリースティック等よりなる癒し音発生媒体４Ａに記憶される。【００３５】  そして増幅部３１はステレオ音の増幅であるから当然に２チャンネル以上の増幅機能を保持するものが用いられ、且その増幅度合は使用状況に合せて癒し音２３が発音できる程度を勘案し決定される。そして増幅部３Ｉで所要の増幅がなされたうえは、適宜寸法形状からなるケーシング３Ｊの下面に設けた一��組以上のスピーカーからなる発音部３０Ｊと且ケーシング３Ｊの背面に多数の孔隙からなる間接発音部３１Ｊとにより発音されるものである。
【産業上の利用可能性】
【００３６】  店舗や事務所若しくは住居等の設置空間に設置するのみで癒し空間が創出され、且癒し音発生媒体を用いれば、適宜の再生手段で何所でも癒し音を感得できる。
【図面の簡単な説明】
【００３７】
【図１】  サンプリング音収録編集工程の説明図である。
【図２】  癒し音発生装置のブロック図である。
【符号の説明】
【００３８】  １    収録編集工程
１Ａ  集音マイク
１Ｂ  デジタル録音機
１Ｃ  音響処理機
２    サンプリング音
２Ａ  メロディー基音
２Ｂ  ベーシック基音
２１Ａ  メロディー楽音
２１Ｂ  ベーシック楽音
２２Ａ  補正メロディー楽音
２２Ｂ  補正ベーシック楽音
２３    癒し音
３    癒し音発生装塗
３Ａ  入力部
３Ｂ  記憶部
３Ｃ  エイリアス部
３Ｄ  楽音編成制御部
３Ｅ  条件設定部
３Ｆ  気圧センサー
３Ｇ  補正制御部
３Ｈ  ミキシング部
３Ｉ  増幅部
３Ｊ  ケーシング
３０Ｊ  発音部
３１Ｊ  間接発音部
４    録音機構
４Ａ  癒し音発生媒体
【図１】
2008116883.tif 000003
【図２】
2008116883.tif 000004